(57)【要約】  大判新聞紙印刷機（１０）は、少なくとも１つの材料ウェブ（１００）に印刷する少なくとも１つの印刷ユニット（１２，１４，１６，１８）と、折り機（８０）とを有する。折り機（８０）は、材料ウェブ（１００）を大判新聞紙（９２）に裁断するための横裁ち装置（５０）と、折り胴（６０）とを有しており、該折り胴は、大判新聞紙（９２）を前縁部において掴むグリッパと、大判新聞紙（９２）に横折りを形成するための折りブレード（６６，６７）とを有しており、さらに折り機は、横折りにおいて折り胴（６０）から横折りされた大判新聞紙（９２９を受け取るためのくわえ胴（７０）又は折りローラを有しており、グリッパが、横折りが新聞紙（９２）の高さの３３％〜４５％又は５５％〜６７％に配置されるように折りブレード（６６，６７）に対して配置されている。
2009521377.tif 000002
【特許請求の範囲】
【請求項１】
大判新聞紙印刷機において、
少なくとも１つの材料ウェブを印刷する少なくとも１つの印刷ユニットと、
折り機とが設けられており、該折り機に、
ウェブ材料を大判新聞紙に裁断するための横裁ち装置と、
折り胴とが設けられており、該折り胴が、大判新聞紙を前縁部において掴むグリッパと、大判新聞紙に横折りを形成するための折りブレードとを有しており、
さらに前記折り機に、横折りにおいて折り胴から横折りされた新聞紙を受け取るためのくわえ胴又は折りローラが設けられており、前記グリッパが、横折りが新聞紙の高さの３３％〜４５％又は５５％〜６７％に配置されるように折りブレードに対して配置されていることを特徴とする、大判新聞紙印刷機。
【請求項２】
グリッパがピンである、請求項１記載の印刷機。
【請求項３】
折り機がくわえ胴を有する、請求項１記載の印刷機。
【請求項４】
グリッパが折りブレードから約８インチ又は１０．５インチに配置されている、請求項１記載の印刷機。
【請求項５】
新聞紙に入紙を挿入するためのインサータが設けられている、請求項１記載の印刷機。
【請求項６】
入紙が少なくとも１０．５インチの寸法を有する、請求項５記載の印刷機。
【請求項７】
折り機において、
材料ウェブを大判新聞紙に裁断するための横裁ち装置が設けられており、
大判新聞紙を前縁部において掴むグリッパと、大判新聞紙に横折りを形成するための折りブレードとを有する折り胴が設けられており、
横折りにおいて折り胴から横折りされた大判新聞紙を受け取るためのくわえ胴又は折りローラが設けられており、グリッパが、横折りが新聞紙の高さの３３％〜４５％又は５５％〜６７％に配置されているように折りブレードに対して配置されていることを特徴とする、折り機。
【請求項８】
折り機がくわえ胴を有する、請求項７記載の折り機。
【請求項９】
折り機が折りローラを有する、請求項７記載の折り機。
【請求項１０】
ウェブを折り畳むためのフォーマが設けられている、請求項７記載の折り機。
【請求項１１】
印刷された材料を含むベルリナーフォーマット大判新聞紙において、該新聞紙が、約１８．５インチの高さと、約８インチにおける横折りとを有することを特徴とする、印刷された材料を含むベルリナーフォーマット大判新聞紙。
【発明の詳細な説明】
【技術分野】
【０００１】
発明の背景
本発明は概して新聞印刷機及び折り機、及び大判新聞紙に関する。
【０００２】
米国特許第６０３５２３４号明細書は新聞印刷機を開示しており、引用により本明細書に記載されたものとし、以下に説明される。
【０００３】
折り畳まれていないベルリナーフォーマット若しくはミディフォーマット新聞紙の寸法は、通常高さが約４７０ｍｍ（１８．５インチ）、幅が３１５ｍｍ（１２．０〜１２．５インチ）である。Le Monde、La Vanguardia、La Repubblicaを含む複数の欧州新聞紙はこのフォーマットを使用する。タブロイド判に対して、ベルリナーフォーマットは横折りされる。折りは、高さの中間、すなわち３３５ｍｍにおいて行われる。
【０００４】
米国特許第６３６７７９２号明細書、米国特許第６６８８２２４号明細書、米国特許第６７３３４３１号明細書、米国特許第６７５２７５１号明細書は折り機を開示しており、引用により本明細書に記載されたことにする。米国特許第６０８２７２４号明細書は、新聞紙ジャケットに入紙を配置するためのインサータを開示している。
【０００５】
発明の簡単な概要
本発明は、少なくとも１つの材料ウェブを印刷する少なくとも１つの印刷ユニットと、折り機とが設けられており、該折り機に、材料ウェブを大判新聞紙に裁断するための横裁ち装置と、前縁において大判新聞紙を掴むグリッパと大判新聞紙において横折りを形成するための折りブレードとを有する折り胴と、横折りにおいて折り胴から横折りされた大判新聞紙を受け取るためのくわえ胴又は折りローラとが設けられており、横折りが新聞紙の高さの３３％〜４５％又は５５％〜６７％に配置されるようにグリッパが折りブレードに対して配置されている。
【０００６】
これらの距離に横折りずれ中心を有することにより、より長い再度を備えた可変フォーマット大判新聞紙が形成されることができ、このことは、より小さな寸法の大判新聞紙を備えた入紙を許容する。
【０００７】
好適な実施形態において、大判新聞紙は約１８．５インチの高さのベルリナーフォーマット新聞紙であり、製品のピンエッジと折りブレードとの間の距離は約８インチ以下であり、タッカブレードと製品の非ピンエッジとの間の距離は１０．５インチ以上である。すなわち突出することなくベルリナーフォーマット新聞紙に１０．５インチの標準的な入紙が挿入されることができる。
【０００８】
本発明は上述のような折り機も提供する。
【０００９】
図面の簡単な説明
本発明の好適な実施形態が以下の図面を参照することによって以下に説明される。
【００１０】
図１は、本発明による大判新聞印刷機を概略的に示している。
【００１１】
図２は、本発明によるベルリナーフォーマット大判新聞紙を示している。
【００１２】
図３，４及び５は、本発明の折り機の折り胴のための様々なピン及び折りブレード位置を示している。
【００１３】
図６は、本発明の折り機の側面図を示している。
【００１４】
図７は、図６の位置とは別の位置における本発明の折り機の側面図を示している。
【００１５】
好適な実施形態の詳細な説明
図１は、例えば、ウェブ１００に印刷するシアン、マゼンタ、イエロー及びブラック印刷ユニット１２，１４，１６，１８を備えるオフセット平版ウェブ印刷セクションであることができる印刷セクション１０を有する大判新聞印刷機を概して示している。
【００１６】
ウェブはスリッタ２０によってリボンに裁断され、これらのリボンは、ローラ３０において、潜在的にその他のリボン１１０と再び組み合わされる。次いでウェブ１００のリボンは折り機８０に入り、この折り機においてリボンは、リボンを長手方向に折るためにフォーマ４０に到達する。次いで折り機８０の横裁ち装置５０はリボンを大判新聞紙に裁断し、大判新聞紙は前縁においてタッカ胴６０によって掴まれる。折り胴６０のグリッパは例えば、ピンなし掴みのための締付け装置又はピンであることができる。
【００１７】
新聞紙９２は次いでくわえ胴７０に押し込まれて横折りされ、次いで例えば羽根車へ、次いでベルトコンベヤ及びグリッパピックアップへ解放され、次いでポケットコンベヤ９８へ排出され、単純にするためにここではポケットコンベヤのみが示されている。羽根車及びベルトコンベヤは、例えば引用により本明細書に記載されたものとする米国特許第６７３３３４１号明細書に示されている。
【００１８】
制御装置９０は胴６０のグリッパと折りブレードとの位相を設定し、胴７０のくわえ部の位相を制御することができ、これにより横折り距離が設定されることができる。位相制御により、横折りは新聞紙の高さの３３％〜４５％又は５５％〜６７％に設定されることができる。少なくとも５％のオフセットは有利には、より小さなフォーマットの新聞紙が、例えばより長い側を提供することによって標準的な入紙を依然として受け取ることを可能にすることができる。さらに、折り機スパイダはこの位相を提供することができるのに対し、現在の折り機技術ではさらなるオフセンター横折りは達成することが困難である。
【００１９】
図２は、本発明の折り機によって破線において折り畳まれたベルリナーフォーマット大判新聞紙９２を示している。Ｈ１は新聞紙高さの１０．５インチ若しくは５６．８％にあり、Ｈ２は８インチ若しくは４３．２％にある。幅は例えば１２〜１２．５インチであることができる。縁部９５は例えばピン止めされた又は掴まれた前縁であり、縁部９３は長手方向に折られた縁部であり、縁部９４は長手方向に折られた縁部とは反対側の縁部である。
【００２０】
新聞紙は、Ｈ１セクションが見出しと共に、例えば入紙が背後に、現れるように、印刷されることができる。しかしながら、Ｈ２セクションが見出しと共に現れることができ、すなわち余分な２．５インチが後ろにあり、例えば広告のスペースを提供する。しかしながら、１０．５インチの入紙は、その実施形態において広告のスペースをカバーする。
【００２１】
図３は２つのグリッパと２つの折りブレードとを備えた折り胴６０のための可能なピン切断位置を示している。この胴は例えば約３７インチの円周を有しており、これによりグリッパと折りブレードとは角度ノートに配置されることができる。例えば、７８度の位相合わせは、ベルリナー新聞紙のための８インチ／１０．５インチ折りを提供する。制御装置９０は、折りを３３％〜４５％又は５５％〜６７％で調節するために図４に示されたようにグリッパと折りブレードとの位相を調節することができ、また、図５に示されたように折り機が再び通常の５０％折りのために使用されるならば折り機を再び９０度オフセットに調節することができる。
【００２２】
図６は、折り胴６０を備えた折り機を示しており、折り胴は、スパイダ又はグリッパ支持体６４における２つのピン６８，６９と、この実施形態においてグリッパ支持体６４から角度Ａ、例えば約７８度に配置された折りブレード支持体６２によって作動させられる２つの折りブレード６６，６７とを有する。横裁ち装置５０は、ピン６８によってピン留めされたウェブを裁断する。胴６０は次いで、折りブレード６７がジョウ胴７０のくわえ部７４と相互作用するまで回転するのに対し、折りブレード６６は胴７０のくわえ部７２と相互作用する。くわえ胴７０が回転すると、選択的であるニップローラ９７は、例えばここに概略的に示されているように新聞紙ジャケットをポケットコンベヤ９８内に配置するために新聞紙を羽根車へ、次いでコンベヤへ配置することができる。
【００２３】
図７は、折りブレード６７を介して新聞紙９２を受け取るくわえ部７４を備えた図６の折り機を示している。制御装置９０は、サーボモータ１０２を介してくわえ部７２，７４の位相を合わせるためにサーボモータ１０３及び支持体６２を介して折りブレード６７，６６の位相を制御することができる。サーボモータ１０１は、制御装置９０によって設定されることができ、支持体６４を介してピン又はその他のグリッパ６８，６９を制御する。制御装置９０は、羽根車、あらゆる後続のコンベヤ及びインサータフィーダ１１０及びポケットコンベヤ９８を制御することもできる。フィーダ１１０からの入紙は例えば好適には１０．５インチの入紙を含む。すなわち、１０．５インチの入紙１９３を備えたベルリナーフォーマット新聞紙が形成されることができる。
【００２４】
折り機は、２つのグリッパと２つの折りブレードとを備えた折り胴と共に示されているが、３グリッパ又は４グリッパ構成等のその他の構成が可能である。さらに、折り機は、グリッパ及び折りブレードを備えた折り胴と共に示されているが、回転式の折りブレード及び折りローラを用いる折り機、いわゆるロータリブレード折り機等のその他の構成が可能である。その場合、くわえ胴の代わりに、折り胴から折り畳まれた折丁を受け取る折りローラが用いられる。米国特許第６６８８２２４号明細書はロータリブレード折り機を示すものとして引用により本明細書に記載されたこととする。
【図面の簡単な説明】
【００２５】
【図１】本発明による大判新聞印刷機を概略的に示している。
【図２】本発明によるベルリナーフォーマット大判新聞紙を示している。
【図３】本発明の折り機のタッカ胴のための様々なピン及びタッカブレード位置を示している。
【図４】本発明の折り機のタッカ胴のための様々なピン及びタッカブレード位置を示している。
【図５】本発明の折り機のタッカ胴のための様々なピン及びタッカブレード位置を示している。
【図６】本発明の折り機の側面図を示している。
【図７】図６の位置とは別の位置における本発明の折り機の側面図を示している。
【符号の説明】
【００２６】
１００  ウェブ、  １２，１４，１６，１８  印刷ユニット、  ２０  スリッタ、  ３０  ローラ、  ４０  フォーマ、  ５０  横裁ち装置、  ６０  折り胴、  ６２  折りブレード支持体、  ６４  グリッパ支持体、  ６６，６７  折りブレード、  ７０  くわえ胴、  ７２，７４  くわえ部、  ８０  折り機、  ９０  制御装置、  ９２  大判新聞紙、  ９３，９４，９５  縁部、  ９８  ポケットコンベヤ、  １０１，１０２，１０３  サーボモータ、  １１０  インサータフィーダ
【図１】
2009521377.tif 000003
【図２】
2009521377.tif 000004
【図３】
2009521377.tif 000005
【図４】
2009521377.tif 000006
【図５】
2009521377.tif 000007
【図６】
2009521377.tif 000008
【図７】
2009521377.tif 000009
【国際調査報告】
2009521377.tif 000010